(57)【要約】【課題】簡易な方法で商品の購入経路を把握して広告成果を反映した広告料を徴収する。【解決手段】商品情報を掲載するＷＥＢページにリンクする紹介情報に基づいてＷＥＢページにアクセスした端末装置１１の端末識別情報を取得する広告サーバ１２と、端末装置１１から商品購入要求があったときに、その端末装置１１の端末識別情報を取得すると共に、商品の提供者に代わって商品の代金を購入者から回収する回収代行サーバ１０と、広告サーバ１２が取得した端末識別情報、および回収代行サーバ１０が取得した端末識別情報を記憶し、両者を照合するトラッキングサーバ１４と、を備え、照合の結果、両方の端末識別情報とが合致した場合は、成果報酬としての広告料が発生する。この広告料の徴収において、回収代行サーバ１０は、商品の購入者から回収した代金から広告料を差し引いて商品の提供者に対して精算を行なう。【選択図】図２
2009086854.tif 000002
【特許請求の範囲】
【請求項１】
商品情報を掲載するＷＥＢページにリンクする紹介情報に基づいて前記ＷＥＢページにアクセスした端末装置の端末識別情報を取得する広告サーバと、
前記端末装置から商品購入要求があったときに、その端末装置の端末識別情報を取得すると共に、前記商品の提供者に代わって前記商品の代金を購入者から回収する回収代行サーバと、
前記広告サーバが取得した端末識別情報、および前記回収代行サーバが取得した端末識別情報を記憶し、両者を照合するトラッキングサーバと、を備えることを特徴とするアフィリエイトシステム。
【請求項２】
商品情報を掲載するＷＥＢページにリンクする紹介情報に基づいて前記ＷＥＢページにアクセスした端末装置の端末識別情報を取得する広告サーバと、
前記端末装置から商品購入要求があったときに、その端末装置の端末識別情報を取得すると共に、前記商品の提供者に代わって前記商品の代金を購入者から回収する回収代行サーバと、
前記広告サーバが取得した端末識別情報、および前記回収代行サーバが取得した端末識別情報を記憶し、両者を照合するトラッキングサーバと、を備え、
前記トラッキングサーバは、前記照合の結果、前記広告サーバが取得した端末識別情報と前記回収代行サーバが取得した端末識別情報とが合致した場合は、前記回収代行サーバは、前記商品の提供者に対して精算を行なうことを特徴とするアフィリエイトシステム。
【請求項３】
商品情報を掲載するＷＥＢページにリンクする紹介情報に基づいて前記ＷＥＢページにアクセスした端末装置の端末識別情報を取得する広告サーバと、
前記端末装置から商品購入要求があったときに、その端末装置の端末識別情報を取得すると共に、前記商品の提供者に代わって前記商品の代金を購入者から回収し、前記広告サーバが取得した端末識別情報、および前記取得した端末識別情報を記憶し、両者を照合する管理サーバと、を備え、
前記管理サーバは、前記照合の結果、前記広告サーバが取得した端末識別情報と前記取得した端末識別情報とが合致した場合は、前記商品の提供者に対して精算を行なうことを特徴とするアフィリエイトシステム。
【請求項４】
商品情報を掲載するＷＥＢページにリンクする紹介情報に基づいて前記ＷＥＢページにアクセスした端末装置の端末識別情報を取得する広告装置と、
前記端末装置から商品購入要求があったときに、その端末装置の端末識別情報を取得すると共に、前記商品の提供者に代わって前記商品の代金を購入者から回収する回収代行装置と、
前記広告装置が取得した端末識別情報、および前記回収代行装置が取得した端末識別情報を記憶し、両者を照合するトラッキング装置と、から構成される管理サーバを備え、
前記トラッキング装置が、前記照合の結果、前記広告装置が取得した端末識別情報と前記回収代行装置が取得した端末識別情報とが合致した場合は、前記管理サーバは、前記商品の提供者に対して精算を行なうことを特徴とするアフィリエイトシステム。
【請求項５】
前記紹介情報は、前記端末装置に対して配信される電子メールまたは前記広告サーバが掲載するＷＥＢページによって提供されることを特徴とする請求項１から請求項４のいずれかに記載のアフィリエイトシステム。
【請求項６】
商品情報を掲載するＷＥＢページにリンクする紹介情報に基づいて前記ＷＥＢページにアクセスした端末装置の端末識別情報を取得する広告サーバが取得した、前記端末識別情報、および、前記端末装置から商品購入要求があったときに、その端末装置の端末識別情報を取得すると共に前記商品の提供者に代わって前記商品の代金を購入者から回収する回収代行サーバが取得した、前記端末識別情報を記憶し、両者を照合するトラッキングサーバであって、
前記トラッキングサーバは、前記照合の結果、前記広告サーバが取得した端末識別情報と前記回収代行サーバが取得した端末識別情報とが合致した場合は、合致した旨を前記回収代行サーバへ送信することを特徴とするトラッキングサーバ。
【請求項７】
請求項１から請求項５のいずれかに記載のアフィリエイトシステムに適用される端末装置であって、
商品情報を掲載するＷＥＢページにリンクする紹介情報に基づいて前記ＷＥＢページにアクセスして端末識別情報を前記広告サーバまたは広告装置へ送信する一方、
商品購入要求をする際に、端末識別情報を前記回収代行サーバまたは回収代行装置へ送信することを特徴とする端末装置。
【請求項８】
広告サーバにおいて、商品情報を掲載するＷＥＢページにリンクする紹介情報に基づいて前記ＷＥＢページにアクセスした端末装置の端末識別情報を取得するステップと、
回収代行サーバにおいて、前記端末装置から商品購入要求があったときに、その端末装置の端末識別情報を取得すると共に、前記商品の提供者に代わって前記商品の代金を購入者から回収するステップと、
トラッキングサーバにおいて、前記広告サーバが取得した端末識別情報、および前記回収代行サーバが取得した端末識別情報を記憶し、両者を照合するステップと、を少なくとも含むことを特徴とするアフィリエイト方法。
【請求項９】
前記トラッキングサーバにおいて、前記照合の結果、前記広告サーバが取得した端末識別情報と前記回収代行サーバが取得した端末識別情報とが合致した場合に、合致した旨を前記回収代行サーバへ送信し、
前記回収代行サーバにおいて、回収した商品代金からアフィリエイト広告料を差し引いて前記商品の提供者との精算を行なうステップと、をさらに含むことを特徴とする請求項８記載のアフィリエイト方法。
【発明の詳細な説明】
【技術分野】
【０００１】
本発明は、商品の購入経路を把握して広告成果を反映した広告料を徴収するアフィリエイトシステム、トラッキングサーバ、端末装置およびアフィリエイト方法に関する。
【背景技術】
【０００２】
従来から、成果報酬型の広告方法が知られている。この広告方法では、ユーザのアクセスをトラッキングし、商品の購入に対する広告効果を把握しようとする。例えば、特願２００４−２２０２２９号公報（特許文献１）には、広告課金システムが開示されている。この広告課金システムは、広告の閲覧者にとって手間となる動作に依存しなければ広告効果に応じた課金を適切に行えないという課題を解決するためになされたものであり、次の構成を採っている。
【０００３】
すなわち、閲覧端末は、広告データを受信して電子広告を表示したユーザのユーザＩＤを商品に対応付けて記録し、ユーザ識別情報を課金手段に送る。また、店舗端末は、予めユーザＩＤを記憶する携帯端末からの近距離通信により商品の購入があったときには、購入したユーザのユーザＩＤを記録し、ユーザＩＤを課金手段に送る。また、課金手段は、閲覧端末から送信されたユーザＩＤと店舗端末から送信されたユーザＩＤとを取得して両ユーザ識別情報を照合する。
【特許文献１】特願２００４−２２０２２９号公報
【発明の開示】
【発明が解決しようとする課題】
【０００４】
従来のトラッキングシステムでは、ＰＣ端末のｃｏｏｋｉｅを利用するものが多いが、ユーザがｃｏｏｋｉｅを削除した場合は、購入経路の追跡ができない場合がある。購入経路の追跡ができないと、成果報酬型の広告方法を実施することが困難である。
【０００５】
本発明は、このような事情に鑑みてなされたものであり、簡易な方法で商品の購入経路を把握して広告成果を反映した広告料を徴収するアフィリエイトシステム、トラッキングサーバ、端末装置およびアフィリエイト方法を提供することを目的とする。
【課題を解決するための手段】
【０００６】
（１）上記の目的を達成するために、本発明は、以下のような手段を講じた。すなわち、本発明のアフィリエイトシステムは、商品情報を掲載するＷＥＢページにリンクする紹介情報に基づいて前記ＷＥＢページにアクセスした端末装置の端末識別情報を取得する広告サーバと、前記端末装置から商品購入要求があったときに、その端末装置の端末識別情報を取得すると共に、前記商品の提供者に代わって前記商品の代金を購入者から回収する回収代行サーバと、前記広告サーバが取得した端末識別情報、および前記回収代行サーバが取得した端末識別情報を記憶し、両者を照合するトラッキングサーバと、を備えることを特徴としている。
【０００７】
このように、紹介情報に基づいて商品情報を掲載するＷＥＢページにアクセスした端末装置の端末識別情報を取得する一方、端末装置から商品購入要求があったときに、その端末装置の端末識別情報を取得して、両者を照合し、合致した場合は、広告成果があったものとするので、確実かつ簡便な方法で商品の購入経路を把握して、広告成果を反映した広告料を徴収することが可能となる。本発明によれば、モバイルインターネットにおけるコンテンツ等の購入において、携帯電話事業者の提供する回収代行システムが活用され、端末識別情報によるアクセスユーザーの認証によって、広告されたコンテンツ等を購入したことを確実に把握することができる。また、回収代行の精算スキームを利用することにより、成果報酬の精算も簡易に行なうことが可能となる。
【０００８】
（２）また、本発明のアフィリエイトシステムは、商品情報を掲載するＷＥＢページにリンクする紹介情報に基づいて前記ＷＥＢページにアクセスした端末装置の端末識別情報を取得する広告サーバと、前記端末装置から商品購入要求があったときに、その端末装置の端末識別情報を取得すると共に、前記商品の提供者に代わって前記商品の代金を購入者から回収する回収代行サーバと、前記広告サーバが取得した端末識別情報、および前記回収代行サーバが取得した端末識別情報を記憶し、両者を照合するトラッキングサーバと、を備え、前記トラッキングサーバは、前記照合の結果、前記広告サーバが取得した端末識別情報と前記回収代行サーバが取得した端末識別情報とが合致した場合は、前記回収代行サーバは、前記商品の提供者に対して精算を行なうことを特徴としている。
【０００９】
このように、紹介情報に基づいて商品情報を掲載するＷＥＢページにアクセスした端末装置の端末識別情報を取得する一方、端末装置から商品購入要求があったときに、その端末装置の端末識別情報を取得して、両者を照合し、合致した場合は、広告成果があったものとして、商品の提供者に対して精算を行なうので、確実かつ簡便な方法で商品の購入経路を把握して、広告成果を反映した広告料を徴収することが可能となる。本発明によれば、モバイルインターネットにおけるコンテンツ等の購入において、携帯電話事業者の提供する回収代行システムが活用され、端末識別情報によるアクセスユーザーの認証によって、広告されたコンテンツ等を購入したことを確実に把握することができる。また、回収代行の精算スキームを利用することにより、成果報酬の精算も簡易に行なうことが可能となる。
【００１０】
（３）また、本発明のアフィリエイトシステムは、商品情報を掲載するＷＥＢページにリンクする紹介情報に基づいて前記ＷＥＢページにアクセスした端末装置の端末識別情報を取得する広告サーバと、前記端末装置から商品購入要求があったときに、その端末装置の端末識別情報を取得すると共に、前記商品の提供者に代わって前記商品の代金を購入者から回収し、前記広告サーバが取得した端末識別情報、および前記取得した端末識別情報を記憶し、両者を照合する管理サーバと、を備え、前記管理サーバは、前記照合の結果、前記広告サーバが取得した端末識別情報と前記取得した端末識別情報とが合致した場合は、前記商品の提供者に対して精算を行なうことを特徴としている。
【００１１】
このように、紹介情報に基づいて商品情報を掲載するＷＥＢページにアクセスした端末装置の端末識別情報を取得する一方、端末装置から商品購入要求があったときに、その端末装置の端末識別情報を取得して、両者を照合し、合致した場合は、広告成果があったものとして、商品の提供者に対して精算を行なうので、確実かつ簡便な方法で商品の購入経路を把握して、広告成果を反映した広告料を徴収することが可能となる。
【００１２】
（４）また、本発明のアフィリエイトシステムは、商品情報を掲載するＷＥＢページにリンクする紹介情報に基づいて前記ＷＥＢページにアクセスした端末装置の端末識別情報を取得する広告装置と、前記端末装置から商品購入要求があったときに、その端末装置の端末識別情報を取得すると共に、前記商品の提供者に代わって前記商品の代金を購入者から回収する回収代行装置と、前記広告装置が取得した端末識別情報、および前記回収代行装置が取得した端末識別情報を記憶し、両者を照合するトラッキング装置と、から構成される管理サーバを備え、前記トラッキング装置が、前記照合の結果、前記広告装置が取得した端末識別情報と前記回収代行装置が取得した端末識別情報とが合致した場合は、前記管理サーバは、前記商品の提供者に対して精算を行なうことを特徴としている。
【００１３】
このように、紹介情報に基づいて商品情報を掲載するＷＥＢページにアクセスした端末装置の端末識別情報を取得する一方、端末装置から商品購入要求があったときに、その端末装置の端末識別情報を取得して、両者を照合し、合致した場合は、広告成果があったものとして、商品の提供者に対して精算を行なうので、確実かつ簡便な方法で商品の購入経路を把握して、広告成果を反映した広告料を徴収することが可能となる。
【００１４】
（５）また、本発明のアフィリエイトシステムにおいて、前記紹介情報は、前記端末装置に対して配信される電子メールまたは前記広告サーバが掲載するＷＥＢページによって提供されることを特徴としている。
【００１５】
このように、紹介情報が、端末装置に対して配信される電子メールまたは広告サーバが掲載するＷＥＢページによって提供されるので、商品情報を掲載するＷＥＢページにユーザを誘導しやすくなる。また、広告サーバまたは広告装置が、電子メール配信機能を備えたり、バナー広告、ブログページを提供する機能を備えたりすることによって、紹介情報をユーザの目に触れやすくさせることが可能となる。
【００１６】
（６）また、本発明のトラッキングサーバは、商品情報を掲載するＷＥＢページにリンクする紹介情報に基づいて前記ＷＥＢページにアクセスした端末装置の端末識別情報を取得する広告サーバが取得した、前記端末識別情報、および、前記端末装置から商品購入要求があったときに、その端末装置の端末識別情報を取得すると共に前記商品の提供者に代わって前記商品の代金を購入者から回収する回収代行サーバが取得した、前記端末識別情報を記憶し、両者を照合することを特徴としている。
【００１７】
このように、紹介情報に基づいて商品情報を掲載するＷＥＢページにアクセスした端末装置の端末識別情報を取得する一方、端末装置から商品購入要求があったときに、その端末装置の端末識別情報を取得して、両者を照合するので、両者が合致した場合は、広告成果があったものとして、商品の提供者に対して精算を行なうことができる。これにより、確実かつ簡便な方法で商品の購入経路を把握して、広告成果を反映した広告料を徴収することが可能となる。本発明によれば、モバイルインターネットにおけるコンテンツ等の購入において、携帯電話事業者の提供する回収代行システムが活用され、端末識別情報によるアクセスユーザーの認証によって、広告されたコンテンツ等を購入したことを確実に把握することができる。また、回収代行の精算スキームを利用することにより、成果報酬の精算も簡易に行なうことが可能となる。
【００１８】
（７）また、本発明の端末装置は、上記のいずれかに記載のアフィリエイトシステムに適用される端末装置であって、商品情報を掲載するＷＥＢページにリンクする紹介情報に基づいて前記ＷＥＢページにアクセスして端末識別情報を前記広告サーバまたは広告装置へ送信する一方、商品購入要求をする際に、端末識別情報を前記回収代行サーバまたは回収代行装置へ送信することを特徴としている。
【００１９】
このような構成により、モバイルインターネットにおけるコンテンツ等の購入において、携帯電話事業者の提供する回収代行システムが活用され、端末識別情報によるアクセスユーザーの認証によって、広告されたコンテンツ等を購入したことを確実に把握することができる。また、回収代行の精算スキームを利用することにより、成果報酬の精算も簡易に行なうことが可能となる。
【００２０】
（８）また、本発明のアフィリエイト方法は、広告サーバにおいて、商品情報を掲載するＷＥＢページにリンクする紹介情報に基づいて前記ＷＥＢページにアクセスした端末装置の端末識別情報を取得するステップと、回収代行サーバにおいて、前記端末装置から商品購入要求があったときに、その端末装置の端末識別情報を取得すると共に、前記商品の提供者に代わって前記商品の代金を購入者から回収するステップと、トラッキングサーバにおいて、前記広告サーバが取得した端末識別情報、および前記回収代行サーバが取得した端末識別情報を記憶し、両者を照合するステップと、を少なくとも含むことを特徴としている。
【００２１】
このように、紹介情報に基づいて商品情報を掲載するＷＥＢページにアクセスした端末装置の端末識別情報を取得する一方、端末装置から商品購入要求があったときに、その端末装置の端末識別情報を取得して、両者を照合するので、これらが合致した場合は、広告成果があったものとして、確実かつ簡便な方法で商品の購入経路を把握して、広告成果を反映した広告料を徴収することが可能となる。本発明によれば、モバイルインターネットにおけるコンテンツ等の購入において、携帯電話事業者の提供する回収代行システムが活用され、端末識別情報によるアクセスユーザーの認証によって、広告されたコンテンツ等を購入したことを確実に把握することができる。また、回収代行の精算スキームを利用することにより、成果報酬の精算も簡易に行なうことが可能となる。
【００２２】
（９）また、本発明のアフィリエイト方法は、前記トラッキングサーバにおいて、前記照合の結果、前記広告サーバが取得した端末識別情報と前記回収代行サーバが取得した端末識別情報とが合致した場合に、合致した旨を前記回収代行サーバへ送信し、前記回収代行サーバにおいて、回収した商品代金からアフィリエイト広告料を差し引いて前記商品の提供者との精算を行なうステップと、をさらに含むことを特徴としている。
【００２３】
このように、紹介情報に基づいて商品情報を掲載するＷＥＢページにアクセスした端末装置の端末識別情報を取得する一方、端末装置から商品購入要求があったときに、その端末装置の端末識別情報を取得して、両者を照合し、一致した場合は、広告成果があったものとして、商品の提供者に対して精算を行なうので、確実かつ簡便な方法で商品の購入経路を把握して、広告成果を反映した広告料を徴収することが可能となる。本発明によれば、モバイルインターネットにおけるコンテンツ等の購入において、携帯電話事業者の提供する回収代行システムが活用され、端末識別情報によるアクセスユーザーの認証によって、広告されたコンテンツ等を購入したことを確実に把握することができる。また、回収代行の精算スキームを利用することにより、成果報酬の精算も簡易に行なうことが可能となる。
【発明の効果】
【００２４】
本発明によれば、紹介情報に基づいて商品情報を掲載するＷＥＢページにアクセスした端末装置の端末識別情報を取得する一方、端末装置から商品購入要求があったときに、その端末装置の端末識別情報を取得して、両者を照合し、合致した場合は、広告成果があったものとして、商品の提供者に対して精算を行なうので、確実かつ簡便な方法で商品の購入経路を把握して、広告成果を反映した広告料を徴収することが可能となる。
【発明を実施するための最良の形態】
【００２５】
次に、本発明の実施の形態について、図面を参照しながら説明する。図１は、本実施形態に係るアフィリエイトシステムの概略構成を示す図である。図１において、広告サーバ１２は、商品情報を掲載するＷＥＢページにリンクする紹介情報に基づいて、そのＷＥＢページにアクセスしたユーザ端末１１の端末識別情報を取得する。この紹介情報は、ユーザ端末１１に対して配信される電子メールまたは広告サーバ１２が掲載するＷＥＢページによって提供されるものであっても良い。また、携帯電話機のショップにおいて、カタログやパンフレットに記載されたものであっても良い。本実施形態では、この紹介情報が広告料徴収の対象となる広告となる。
【００２６】
ＣＰサーバ１３は、コンテンツプロバイダが運営するサーバであり、コンテンツや商品の販売をする。販売代金は、回収代行サーバ１０によって回収される。
【００２７】
回収代行サーバ１０は、ユーザ端末１１から商品購入要求があったときに、そのユーザ端末１１の端末識別情報を取得する。また、その商品の提供者に代わってその商品の代金を購入者から回収する。
【００２８】
トラッキングサーバ１４は、広告サーバ１２が取得した端末識別情報、および回収代行サーバ１０が取得した端末識別情報を記憶し、両者を照合する。そして、トラッキングサーバ１４は、照合の結果、広告サーバ１２が取得した端末識別情報と回収代行サーバ１０が取得した端末識別情報とが合致した場合は、合致した旨を回収代行サーバ１０へ送信する。
【００２９】
回収代行サーバ１０は、トラッキングサーバ１４から、広告サーバ１２が取得した端末識別情報と回収代行サーバ１０が取得した端末識別情報とが合致した旨を受信した場合は、例えば、商品の購入者から回収した代金から広告料を差し引いて商品の提供者（ＣＰサーバ１３）に対して精算を行なう。なお、本発明において、精算スキームについては、これに限定されるわけではない。別の精算方法を適用することも可能である。
【００３０】
次に、上記のように構成された本実施形態に係るアフィリエイトシステムの動作について、図２および図３を参照して説明する。図２は、本実施形態に係るアフィリエイトシステムの動作を示すシーケンスチャートであり、図３は、ユーザ端末１１の画面表示例を示す図である。まず、ユーザ端末１１において、コンテンツまたは商品を購入したとする。その後、広告サーバ１２または回収代行サーバ１０から、電子メールが届き、そのメッセージの中に紹介情報があるとする。図３の画面表示例３０は、電子メールのメッセージに紹介情報が付された例を示す。ここでは、コンテンツの名称として「★対戦ＸＸ（ゲーム）」が記載されており、それと共に提供サイトのＵＲＬが記載されている。また、図３の画面表示例３１は、広告サーバ１２が提供する広告画面を示す。このように、広告画面中に紹介情報を付しても良い。さらに、携帯電話機のショップにおいて、カタログやパンフレットに紹介情報を記載してもよい。ここでは、広告サーバ１２が提供する広告画面にアクセスした場合を示す。
【００３１】
図２において、ユーザ端末１１が広告サーバ１２へアクセスし（ステップＳ１）、広告画面中の紹介情報を閲覧する（ステップＳ２）。この段階で、ユーザ端末１１では、図３の画面表示例３１のような内容が示されている。次に、その紹介情報を介して、ＣＰサーバ１３が提供する商品情報提供画面に遷移すると（ステップＳ３）、広告サーバ１２では、そのユーザ端末１１の端末識別情報を取得する（ステップＳ４）。この段階で、ユーザ端末１１では、図３の画面表示例３３のような内容が示されている。広告サーバ１２は、取得した端末識別情報をトラッキングサーバ１４へ送信する（ステップＳ５）。
【００３２】
次に、ユーザ端末１１において、画面表示例３３のような状態から、画面表示例３４の状態へ遷移し（ステップＳ６）、購入動作を行なったとする（ステップＳ７）。画面表示例３４は、ＣＰサーバ１３が運営するサイトの一画面である。
【００３３】
ユーザによるコンテンツ購入動作の際に課金を行なうため、回収代行サーバ１０の画面へ遷移する（ステップＳ８）。そして、ユーザ端末１１と回収代行サーバ１０とが情報のやり取りを行なう（ステップＳ９）。例えば、図３の画面表示例３４から３５へ遷移し、パスワードの入力を求め、さらに、購入確認画面３６へ遷移して、ユーザの購入意思が確認できた場合は、コンテンツのダウンロードが行なわれる。
【００３４】
回収代行サーバ１０では、コンテンツの購入が決定した段階で、そのユーザ端末１１の端末識別情報を取得する（ステップＳ１０）。回収代行サーバ１０は、取得した端末識別情報をトラッキングサーバ１４へ送信する（ステップＳ１１）。
【００３５】
次に、トラッキングサーバ１４では、ステップＳ５およびステップＳ１１で取得した端末識別情報をそれぞれ記憶し、両者をマッチング（照合）させる（ステップＳ１２）。マッチングしない場合は、そのまま処理を終了するが、マッチングした場合は、その旨を回収代行サーバ１０へ送信する（ステップＳ１３）。これにより、アフィリエイトが成立したこととなり、回収代行サーバ１０は、ユーザ（コンテンツの購入者）から代金を回収する（ステップＳ１４）。そして、広告成果としての広告費を、回収した代金から差し引いて、ＣＰサーバ１３に対して精算を行なう。
【００３６】
これにより、確実かつ簡便な方法で商品の購入経路を把握して、広告成果を反映した広告料を徴収することが可能となる。
【００３７】
なお、以上の説明では、回収代行サーバ１０と、広告サーバ１２と、トラッキングサーバ１４とがそれぞれ独立した場合を示したが、本発明は、必ずしもこれに限られるわけではない。例えば、他の実施形態として、図４に示すように、回収代行サーバ１０およびトラッキングサーバ１４の機能を併せ持った管理サーバ１０１としてシステムを構成しても良い。さらに、他の実施形態として、図５に示すように、回収代行サーバ１０と、広告サーバ１２と、トラッキングサーバ１４とを一つにまとめて、管理サーバ１０２として構成することも可能である。さらに、図６に示すように、回収代行サーバ１０と、広告サーバ１２と、ＣＰサーバ１３と、トラッキングサーバ１４とを一つにまとめて、管理サーバ１０３として構成することも可能である。
【００３８】
図４、図５または図６に示す構成を採ることによって、携帯電話事業者の提供する回収代行システムを活用することが可能となる。すなわち、モバイルインターネットにおけるコンテンツ等の購入において、携帯電話事業者による回収代行システムを利用し、端末識別情報によるアクセスユーザーの認証によって、広告されたコンテンツ等を購入したことを確実に把握することができる。また、回収代行の精算スキームを利用することにより、成果報酬の精算も簡易に行なうことが可能となる。
【図面の簡単な説明】
【００３９】
【図１】本実施形態に係るアフィリエイトシステムの概略構成を示す図である。
【図２】本実施形態に係るアフィリエイトシステムの動作を示すシーケンスチャートである。
【図３】ユーザ端末１１の画面表示例を示す図である。
【図４】他の実施形態に係るアフィリエイトシステムの概略構成を示す図である。
【図５】他の実施形態に係るアフィリエイトシステムの概略構成を示す図である。
【図６】他の実施形態に係るアフィリエイトシステムの概略構成を示す図である。
【符号の説明】
【００４０】
１０  回収代行サーバ
１１  ユーザ端末
１２  広告サーバ
１３  ＣＰサーバ
１４  トラッキングサーバ
１０１  管理サーバ
１０２  管理サーバ
１０３  管理サーバ
【図２】
2009086854.tif 000003
【図３】
2009086854.tif 000004
【図１】
2009086854.tif 000005
【図４】
2009086854.tif 000006
【図５】
2009086854.tif 000007
【図６】
2009086854.tif 000008